(57)【要約】【課題】  ＡＣアダプタ側に形状及び大きさなどに制約を加える事無く固定すること。【解決手段】  ＡＣアダプタの平行プラグ部に設けられた穴に対し、変換プラグの凹形状挿入部に設けたピンを勘合させ固定させる。【選択図】  図１
2009104880.tif 000002
【特許請求の範囲】
【請求項１】
第一の形態を有した第一のプラグを有するＡＣアダプタと、第一のプラグ部に結合する構造と第一のプラグと形態の違う第二のプラグを有するプラグ変換アダプタとによるプラグ変換機構であって、
第一のプラグに穴を設け、プラグ変換アダプタの第一のプラグと結合する部分に移動可能なピンを有し、結合時には第一のプラグの穴と、ピンが勘合することにより固定されることを特徴とするプラグ変換機構。
【請求項２】
請求項１に記載のプラグ変換機構において、プラグ変換アダプタを装着する機器をバッテリーチャージャーとしたことを特徴とするプラグ変換機構。
【発明の詳細な説明】
【技術分野】
【０００１】
本発明は、商用電源を、使用する電気機器に適合した電源に変換するＡＣアダプタ及び商用電源に接続しバッテリーの充電を行うバッテリーチャージャーに関するものである。
【背景技術】
【０００２】
従来技術では、ＡＣアダプタは使用する国の規格に合わせたプラグが付けられているため、電源コンセントの形状が違う国で使うにはその国に合わせたプラグに変換する必要があり、ＡＣアダプタとプラグ部に装着してプラグの形状変換を行なうプラグ変換アダプタが使われている。プラグ部に装着するだけでは結合力が弱く脱落のおそれがある。そのため、ＡＣアダプタとプラグ変換アダプタが結合する部分に固定するための機構が付けられている。機構としては、ＡＣアダプタとプラグ変換アダプタの両方に位置を決めて固定するためのガイド機構とロック機構を有する構造となっている。（例えば、ＡＣアダプタ側には、位置決め溝とロック用の穴、プラグ変換アダプタ側にはＡＣアダプタの溝と勘合するリブと、ロック穴に勘合する移動構造の固定突起を付けることにより固定する構造。
【０００３】
上記の例として、下記特許文献１をあげることが出来る。
【特許文献１】特開２００２−１９８１４６号公報
【発明の開示】
【発明が解決しようとする課題】
【０００４】
従来技術では、プラグ変換アダプタをＡＣアダプタに固定するためにプラグ変換アダプタとＡＣアダプタ双方に特別な機構を必要とし、ＡＣアダプタに専用の構造を付加する必要がある。このため、形状の制約と付加した構造により形状が大きくなるという問題が生じている。
【０００５】
プラグ変換アダプタを使わずにＡＣアダプタを使う場合には、必要としないプラグ変換アダプタの固定機構が付いたままとなるため形状的にも寸法的にも最適な状態とはならない。
【０００６】
ＡＣアダプタへの形状の制約や小型化を妨げる機構を付加する事無くプラグ変換アダプタを固定させる機構を付加することにより、プラグ変換アダプタ装着時、未装着時共に最適な形状とし利便性を向上させることを目的とする。
【課題を解決するための手段】
【０００７】
上記目的を達成するために、本出願に係わる第１の発明は、ＡＣアダプタのプラグ部に穴を付加し、プラグ変換アダプタのプラグ挿入部に、移動機構を有するピンを配置する構造とする。プラグ変換アダプタのプラグ挿入部にＡＣアダプタの端子が挿入されると、ＡＣアダプタのプラグ部にあけられた穴と係合する関係にあるピンが穴に挿入されることにより固定される。プラグ変換アダプタを固定するためのＡＣアダプタ側の機構はプラグに穴をあけるだけであり、形状及び構造に影響を及ぼすような機構を必要としない。
【０００８】
本出願に係わる第２の発明は、請求項１の機構をバッテリーチャージャーに対しても使用することを特徴とするものである。
【発明の効果】
【０００９】
従来技術では、ＡＣアダプタとプラグ変換アダプタ双方に結合し固定するための特別な機構を必要としていた。これにより、ＡＣアダプタは結合機構による形状の制約及び外形の大型化を避けることができず、プラグ変換アダプタを使わずＡＣアダプタ単独での使用においては最小でかつ、使用上最適な形状及びデザインにすることができなかった。
【００１０】
本出願に係る第１の発明によれば、ＡＣアダプタ側にはプラグ部に穴をあけるだけであり、デザイン、構造及び外観寸法に対し影響およぼすことは無くＡＣアダプタとして寸法、形状共に最適化することができる。
【００１１】
また、ＡＣアダプタのプラグ部に穴さえあいていれば、プラグ変換アダプタを共通に使うことができ、プラグ部に収納機構を付加した構造とした場合でも収納方法による影響をまったく受けることが無く、プラグ変換アダプタの共通化が可能である。
【００１２】
本出願に係る第２の発明によれば、バッテリーチャージャーに対しても第１の発明のプラグ変換機構を付加するものである。バッテリーチャージャーはＡＣアダプタよりも携帯性の要求が高いのと、ＤＣケーブルが無いことから収納時における小ささ、デザインの差が、顕著に現れる。このため、効果がいっそう大きくなる。
【００１３】
また、旅行などにおいて複数の電源を携帯する場合はプラグ変換アダプタを共通化することができることより荷物を減らすことができる。
【発明を実施するための最良の形態】
【００１４】
次に、本発明の詳細を実施例の記述に従って説明する。
【実施例１】
【００１５】
図１は実施例の構成を表す図で、１は商用電源より電気機器が必要とする電源に変換するＡＣアダプタ、１−１は日本の商用電源のコンセントに差込むことができる形状であるＡＣプラグ、１−１−１はＡＣプラグに開けられた固定のための固定穴、１−２は電気機器に電源を供給するＤＣケーブル、２はコンセントに差し込むプラグ形状を変換するプラグ変換アダプタ、２−１はプラグ変換アダプタ２の機構部品を内包する変換アダプタ筐体、２−３はＡＣアダプタ１とプラグ変換アダプタ２の固定を解除する解除レバー、２−６は欧州の商用電源コンセントに差し込むことが可能となる形状をした変換プラグである。
【００１６】
図２はＡＣアダプタ１とプラグ変換アダプタ２を結合した状態での断面図で、１−１−２はＡＣプラグ１−１の先端部でプラグ挿入部２−１−１に入りやすくするための面取り部、２−１−１はプラグ変換アダプタ２にＡＣプラグ１−１を挿入するためのプラグ挿入部、２−１−２はプラグ変換アダプタ２をＡＣアダプタに固定するためのロック機構の位置決めをするガイド穴、２−２はプラグ変換アダプタ２をＡＣアダプタに固定するためのロックピン、２−２−１はロックピン２−２の一部で固定穴１−１−１と勘合する部分である固定軸、２−２−２はロックピン２−２がＡＣプラグ１−１と接触した時後方に退避できるようにするための誘い部、２−２−３はロックピン２−２の回転を規制し解除レバーと連動させるための勘合溝、２−３−１は解除レバー２−３を動かすため指を当てるツマミ、２−３−２はロックピン２−２を解除レバー２−３と連動して動かすための連動板、２−４は解除レバーに固定方向への力を加えるスプリング、２−５はＡＣプラグ１−１と変換プラグ２−６を電気的に結合する接触板である。
【００１７】
図３はＡＣアダプタ１とプラグ変換アダプタ２を結合した状態でのＡ−Ａ断面図で、２−１−３は解除レバー２−３の位置を決めて摺動させるための案内溝である摺動溝、２−３−３は摺動溝２−１−３と勘合し解除レバー２−３を摺動させるための勘合部である摺動リブ、２−５−１は接触板２−５がＡＣプラグ１−１と接触する部分となる接触部である。
【００１８】
図４はＡＣアダプタ１とプラグ変換アダプタ２を結合した状態でのＢ−Ｂ断面図である。
【００１９】
図５はＡＣアダプタ１とプラグ変換アダプタ２を結合した状態でのＣ−Ｃ断面図である。
【００２０】
図６はプラグ変換アダプタ２をＡＣアダプタ１に装着する時の状態を示した図である。
【００２１】
図７はプラグ変換アダプタ２をＡＣアダプタ１より取り外す時の状態を示した図である。
【００２２】
ＡＣアダプタ１は通常、ＡＣプラグ１−１を日本の商業用電源のコンセントに刺して使用する。ＡＣプラグ１−１より供給を受けた電源はＡＣアダプタ１内の電気回路にて変換されＤＣケーブル１−２を通してＤＣケーブル１−２に接続された電気機器に適する電源を供給する。
【００２３】
このＡＣアダプタ１と接続する電気機器を欧州にて使用する場合には商用電源のコンセント形状が違うためこのままでは使用することができない。
【００２４】
使用するために、ＡＣアダプタ１のＡＣプラグ１−１をプラグ変換アダプタ２のプラグ挿入部２−１−１に差し込んで結合する。
【００２５】
プラグ変換アダプタ２は、プラグ挿入部２−１−１の側面にガイド穴２−１−２が開けられておりロックピン２−２摺動可能状態で隙間が生じることなく取り付けられている。ロックピン２−２の一部には２方取りする形で摺動溝２−１−３を有し解除レバー２−３より突出した連動板２−３−２と係合し回転不能状態で連結される。解除レバー２−３は変換アダプタ筐体２−１内部に設けられた摺動溝２−１−３と摺動リブ２−３−３にて、ロックピン２−２がプラグ挿入部２−１−１内に出入りする方向への移動可能状態で結合され、スプリング２−４にてプラグ挿入部２−１−１へ入り込む方向へ力が加えられている。
【００２６】
プラグ変換アダプタ２のプラグ挿入部２−１−１にＡＣアダプタ１のＡＣプラグ１−１が挿入されていくと、図６に示すようにＡＣプラグ１−１の面取り部１−１−２がロックピン２−２の誘い部２−２−２と接触することでロックピン２−２はＦ方向へ押し出され、ＡＣプラグ１−１をさらに挿入することが可能となる。ＡＣプラグ１−１がプラグ挿入部２−１−１の最深部まで達すると、装着時の断面図、図２に示すようにＡＣプラグ１−１に開けられ固定穴１−１−１とロックピン２−２の位置が合いロックピン２−２の固定軸２−２−１が固定穴１−１−１と勘合することで固定される。
【００２７】
この時、プラグ変換アダプタ２に取り付けられている変換プラグ２−６はプラグ変換アダプタ２の内部で接触板２−５と結合し、接触板２−５はプラグ挿入部２−１−１の切り欠き部より接触部２−５−１を突出させＡＣプラグ１−１と接触することで電気的に結合される。
【００２８】
プラグ変換アダプタ２の変換プラグ２−６を欧州の商用電源のコンセントに差し込む。電源は変換プラグ２−６から接触板２−５を通してＡＣプラグ１−１に供給され、ＡＣ電源内部の電気回路にて変換された電源がＤＣケーブル１−２を介して電気機器に供給される。
【００２９】
プラグ変換アダプタ２をＡＣアダプタ１より外すには、図７に示すように解除レバー２−３のツマミ２−３−１をＧ方向に押す。これにより解除レバー２−３の連動板２−３−２と結合されているロックピン２−２も連動して動きＡＣプラグ１−１に設けられた固定穴１−１−１とロックピン２−２の固定軸２−２−１の勘合が外れ、プラグ変換アダプタ２とＡＣアダプタ１を拘束するものが無くなりはずすことが可能となる。
【図面の簡単な説明】
【００３０】
【図１】実施例の形態図
【図２】実施例の断面図
【図３】実施例のＡ−Ａ図
【図４】実施例のＢ−Ｂ図
【図５】実施例のＣ−Ｃ図
【図６】実施例のプラグ変換アダプタ装着時の状態図
【図７】実施例のロック解除時の状態図
【符号の説明】
【００３１】
１  ＡＣアダプタ
１−１  ＡＣプラグ
１−１−１  固定穴
１−１−２  面取り部
１−２  ＤＣケーブル
２  プラグ変換アダプタ
２−１  変換アダプタ筐体
２−１−１  プラグ挿入部
２−１−２  ガイド穴
２−１−３  摺動溝
２−２  ロックピン
２−２−１  固定軸
２−２−２  誘い部
２−２−３  勘合溝
２−３  解除レバー
２−３−１  ツマミ
２−３−２  連動板
２−３−３  摺動リブ
２−４  スプリング
２−５  接触板
２−５−１  接触部
２−６  変換プラグ
Ｆ  移動方向
Ｇ  ツマミに加える荷重方向
【図１】
2009104880.tif 000003
【図２】
2009104880.tif 000004
【図３】
2009104880.tif 000005
【図４】
2009104880.tif 000006
【図５】
2009104880.tif 000007
【図６】
2009104880.tif 000008
【図７】
2009104880.tif 000009